(57)【特許請求の範囲】
【請求項１】
開閉可能な一対の柄体の片方を柄体の中心部にスライド穴を１個若しくは複数個設けて、他方の柄体に相対する位置に止め穴を設けて、前記する柄体の先端部を長さ方向に分岐された湾曲状の挟持部を設けて対象部の幅に合わせて広げて調整する発條等を有する弾性効果を備えた部材とともに前記柄体を交叉スライド穴と止め穴に頭部付き止め軸を挿し、止め具を組み合わせて構成したことを特徴とする血行用補助具。
【請求項２】
前記挟持部に柔軟性を有する樹脂等の材料を装着部に着脱自在に設けた請求項１に記載された血行用補助具。
【請求項３】
前記柄体の間に弾性効果を利用する発條等の調整部を設けた請求項１若しくは請求項２に記載された血行用補助具。
【発明の詳細な説明】
【背景技術】
【０００１】本発明は身体に刺激を与え血行をうながして、高齢者、力の弱い人でもが容易に使用ができる血行刺激用補助具に関するものである。
【背景技術】
【０００２】従来より身体に刺激を与え血行をうながせるものとして、温灸、ツボ押具、指圧具、叩き具、鍼灸、圧迫具、指圧具、磁力発生具、ＡＥＤ、電気マッサージ器等、種種が提供されている。【０００３】柄体の先端に回転体を設け、回転体で押え回転させ刺激を与える健康具等は既に販売がされている。【０００４】柄体に付けた回転体で押圧、回転させツボを刺激する指圧具若しくは健康具は既に販売されている。【０００５】指圧、圧迫、マッサージ等が出来る電動マッサージ器は健康具として提供されている。【０００６】さらに使い易くさせるために、柄体を使用して、受け具に設けた大球を廻し指圧する技術が開示されている。（例えば、実用新案文献１、昭５２−３９０７、２、平１−１５２６３２、３昭５９−２４３９３、４、平４−７００３１）参照【０００７】
【実用新案文献１】
実用新案出願昭５２−３９０７公報（第２頁第１図）
【発明の開示】
【発明が解決しようとする課題】
【０００８】対象部に押圧、回転、等の刺激を与え血行をうながす際に、対象部の狭い、広い、凸凹、曲成部等に対して分別、若しくは、使い分けをして血行をうながすものとして制約、限定されていたり、人、ペット等に使用することは限定されていた、特に対象部の狭い、広い、個所、凸凹、曲成等は対象部の一部分にしか使用ができなので偏重されていたり、離された個所の対象部に対しては複数個の用具を使用することは無理があり、同時に一括おこなうことは不可能であり、さらに掴み、揉むことに対して適切な物がなく、危険や傷害を伴ったり、電源を使用する構造であり、使用場所が限定されるケースであり、何時、何処でも場所をとらないで、複数個の対象部を同時に掴み、揉んで、柔らかくほぐすことは難儀であり、不安定であると使用に支障があり、適切に、安全に使用するには経験や技術を要求され、何時、何処でも場所を取らないでおこなうには高齢者、力の弱い障害者には支障があり、健常者、経験者でないと使用できない等の欠点や不便があった。【０００９】さらに公知公開されたる実用新案昭５２−３９０７公報による回転板に台板を設けて、前記台板に椀受け具を設けて小球を介して転動自在に支承した大球であり、外筒に枢軸によって枢着した手動レバーを操作して回転体を廻し大球の間隔を変えられ、内筒の絞込を変えると外筒に対する位置の調整が出来、大球を利用しての指圧効果しか得ることができない構成で、指圧器の移動は可能であっても、手動レバーの操作方向と大球の動作方向は角度的に一致しないことは指圧効果が薄いものであり、一定の使用占有部を必要としていたことは対象部（狭い、広い）の個所に付いての選択が出来ない等の不便や欠点があった。
【課題を解決するための手段】
【００１０】本発明は上記するような不便や欠点を解消するために、請求項１においては、開閉可能な一対の柄体１の片方の柄体の開閉中心部にスライド穴３を１個若しくは複数個設けて、他方の柄体１の相対する位置に止め穴５を設けて、前記柄体１の先端に椀曲状の挟持部２を設けて前記挟持部２の先端に分岐された掴み部６を設けて前記柄体枠体１を交叉させ重ね合わせて前記スライド穴３と前記止め穴５に頭部付き止め軸４を挿して止め具７で組み合せた構成にしたことを特徴とする。【００１１】請求項２においては、装着部を対象部に接触させて対象部を柔軟に操作対応が出来るものである。【００１２】請求項３においては調整部を設けて元に戻す弾性効果を利用して柄体を押え対象部の取り扱いを容易にするものであり使用時に弾性振動を生じさせるものである。
【発明の効果】
【００１３】本発明における実施例１の血行刺激用補助具は対象部７（狭い、広い、）さらに凹凸，曲成形状個所等を問わずに開閉可能に一対の柄体１の片方の開閉中心部に前記スライド穴３を設けて、他方の柄体１の相対する位置に止め穴５を設けて柄体１を交叉重ねて合わせてスライド穴３と止め穴５に頭部付き止め軸４を挿して止め具７で組み合わせて、柄体１のスライド穴３をスライド調整して柄体１の開き確認をして、分岐された掴み部６の片側を用いて片方を（狭い）、両側（６，６ａ）を用いて（広い）を、掴み、さらに、挟持部２で、挟み、押えて柄体１に力を加え、若しくは振動を与えて揉む刺激効果を生じさせ、掴まれた、挟まれた、押えられた対象部８を柔らかくしたり，ほぐしたりして血行のうながし前記対象部８をほぐし、筋肉の疲労を取ったりするものであり、掴み部６の片方側、両方の使用によりペット等にも適用が可能で、如何なる場所、何時でも対応でき、携帯もでき、握る力の弱い人等の場合は片方を固定させて相対する方を抑え、対象部を掴み、挟む等の同一効果が得られ、閉鎖された状態からスライドをさせ開いた幅までの対応が可能で柄体の他の個所を利用して対象部を、叩いたり，突いたりする等の効果があり、さらに、些細な出血等は強く圧迫させると止血が可能であるが相反する故、従来、全く想像すら不可能で、より計り知れない効果が期待できる従来にはない血行刺激用補助具である。
【発明を実施するための最良の形態】
【００１４】本発明の血行刺激用補助具は人等の対象部（狭い，広い）を掴み，挟み、押さえ、揉む等の刺激を与え血行をうながして刺激して健康の維持を図ることに使用するもので、その使用手順は以下のとおりである。柄体を持ってスライド穴をスライドさせて対象部の幅を判断して柄体を開き、掴み部の片方で（狭い）両方で（広い）対象部、若しくは、挟持部を開いて摘み．鋏み、押えて、揉む等、さらに柄体に力を加えるか、振動を与えて血行の刺激を促すようになっているものである。しかし緊急で止血をせねばならない場合には柄体で掴み部を強く抑えると止血は可能になる血行刺激用補助具とする。
【実施例１】
【００１５】本発明による実施例１の血行刺激用補助具を図１に示す斜視図と、図２に示す側面図と、図３に示す分岐された掴み部の拡大図と、図４に示す使用例を示す図と、図５に示す他の使用例を参考図で説明をする。
実施例１のおける血行刺激用補助具Ａは開閉可能にして一対の柄体１の片方に開閉中心部にスライド穴３を１個若しくは複数個設けて、他方の柄体１の相対する位置に止め穴５を設けて前記柄体１の先端に椀曲状の挟持部２を設けて前記挟持部２の先端に分岐させた掴み部６を設けて、前記柄体を交叉させ重ね合わせて、前記スライド穴３、前記止め穴５に頭部付き止め軸４を挿して止具７を組み込んで構成をする。【００１６】実施例１に示す側面図は、本体Ａは柄体１，１ａを交叉させて重ね合わせ片方の柄体１、にスライド穴３を設けて他の柄体１ａに止め穴５を設けて頭部つき止軸５を挿して止め具７で組み込んだものである。【００１７】本発明による血行刺激用補助具Ａは木製であるが、樹脂製であっても、使用個所においては特に限定をするものではない。
【産業上の利用可能性】
【００１８】本発明は身体の対象部（狭い）（広い）を分岐された片側、両側にて図示説明をしているがこれら以外に、例えば挟持部、柄体の他の個所を利用して刺激を与えることが容易に誰でもができる等によって健康、介護、医療、生活用、リハビリ等に多用途の分野に渉るものである。
【図面の簡単な説明】
【００１９】
【図１】本発明の一実施例を示す斜視図である。
【図２】本発明の側面図である。
【図３】図１に示す分岐された掴み部の拡大図である。
【図４】本発明の使用例を示す図である。
【図５】本発明の他の使用例を示す図である。
【符号の説明】
【００２０】Ａ、本体
１、柄体
１ａ  柄体
２、挟持部
２ａ  挟持部
３、スライド穴
４、頭部つき止め軸
５、止め穴
６、掴み部
６ａ  掴み部
７、止具
８、対象部
【図１】
0004811824.tif 000002
【図２】
0004811824.tif 000003
【図３】
0004811824.tif 000004
【図４】
0004811824.tif 000005
【図５】
0004811824.tif 000006